(57)【要約】【課題】長年の使用により内壁に付着物が生じたビルの配管等の洗浄作業が短時間に、しかも洗浄水の無駄なく、適切に行うことを課題とする。【解決手段】洗浄水の送水パイプ４の先端部に側部に洗浄水の噴出口２，…を有するノズル体１を装着し、一方内視鏡本体３に水密に螺合される先端部材7aと後端部材7bで構成される保護キャップ７を被せ、保護キャップ７の後端部をノズル体１の先端部に螺合させ、この螺合端部に水密リング９を装着し、更に内視鏡本体３に接続されたリード線５は送水パイプ４内を通して外部のモニター６に接続するようにした配管洗浄装置。【選択図】図１
2005349274.tif 000002
【特許請求の範囲】
【請求項１】
洗浄水の送水パイプの先端部に側部に洗浄水の噴出口を有するノズル体を装着し、一方内視鏡本体には保護キャップを被せ、該保護キャップの後端部を上記ノズル体の先端部に水密に螺合させたことを特徴とする配管洗浄装置。
【請求項２】
ノズル体の先端部と保護キャップの後端部の螺合端部に水密リングを装着した請求項１記載の配管洗浄装置。
【請求項３】
保護キャップが水密に螺合された先端部材と後端部材とから構成される請求項１記載の配管洗浄装置。
【請求項４】
螺着結合の一方の端部に水密リングを装着した請求項３記載の配管洗浄装置。
【請求項５】
螺着結合の他方の端部に水密部材を装着した請求項３記載の配管洗浄装置。
【発明の詳細な説明】
【技術分野】
【０００１】
この発明は、洗浄水の送水パイプに装着されるノズル体の先端部に内視鏡本体を装着するようにした配管洗浄装置に関するものである。
【背景技術】
【０００２】
ビルの配管等においては長年使用していると内壁に付着物が生じ、このためこの付着物を剥離し、洗浄除去する必要がある。
【０００３】
このような配管洗浄に際しては、先ずリード線の先端部に設けられた内視鏡を配管内に送入して外部に設けられたモニターにより配管内部の状態を観察し、次に特開昭58-91245号公報、特開平9-174005号公報等に提案されているような洗浄ノズルを配管内に送入してモニター観察に基づいて配管内の付着物を剥離、洗浄除去することが行われていた。
【特許文献１】特開昭58-91245号、特開平9-174005号
【発明の開示】
【発明が解決しようとする課題】
【０００４】
しかし、この方法では、内視鏡を配管内に送入して行う配管内部の観察と洗浄ノズルを配管内に送入して行う配管内の洗浄作業が別々に行われるため、配管洗浄に長時間を要するという難点がある。
【０００５】
また、内視鏡による配管内部の観察と洗浄ノズルによる配管内部の洗浄が別々に行われるため、モニターを通して観察された配管内部の洗浄を必要とする箇所と実際に洗浄ノズルにより行われた洗浄箇所に食い違いが生じ、このため洗浄水が無駄に使われたり、或いは実際に洗浄を必要とする箇所の洗浄が行われなかったり等の不都合を生ずる。
【課題を解決するための手段】
【０００６】
この発明は、上記実情に鑑み、洗浄水の送水パイプの先端部に側部に洗浄水の噴出口を有するノズル体を装着し、一方内視鏡本体には保護キャップを被せ、該保護キャップの後端部を上記ノズル体の先端部に水密に螺合させた配管洗浄装置を提案するものである。
【発明の効果】
【０００７】
即ち、この発明では洗浄水の送水パイプの先端部にノズル体を装着すると共に、ノズル体の先端部に内視鏡本体を装着し、内視鏡本体の基端部に接続されるリード線を送水パイプ内に通して外部に設けられたモニターに接続するものであり、ビル等の配管洗浄に際してはノズル体を配管内に送入して配管内の状態をモニターで観察しながらノズル体より洗浄水を噴出させて配管内部の洗浄を行うものである。
【０００８】
この発明においては内視鏡本体による配管内の観察とノズル体による配管内の洗浄が連続的の行われるため、配管の洗浄作業が短時間に行うことができ、しかも内視鏡本体がノズル体の先端部に装着されているため、モニターにより観察された箇所にノズル体より洗浄水を噴出させることができ、したがって洗浄水の無駄がなく、適切な洗浄を行うことができる。
【０００９】
また、この発明では内視鏡本体には保護キャップを被せ、該保護キャップの後端部を上記ノズル体の先端部に水密に螺合させてあるため、ノズル体の先端部と内視鏡本体の装着箇所より水漏れすることもない。
【００１０】
なお、ノズル体先端部と内視鏡本体の保護キャップ後端部の螺合を水密に保持する手段としては、例えばノズル体の先端部と保護キャップの後端部の螺合端部に水密リングを装着した方法を採用することができる。
【００１１】
また、保護キャップは水密に螺合された先端部材と後端部材とで構成することができ、この場合先端部材と後端部材との螺合を水密に保持する手段としては、例えば螺合の一方の端部に水密リングを装着したり、或いは螺合の他方の端部に水密部材を装着したりする手段を採用することができる。
【発明を実施するための最良の形態】
【００１２】
洗浄水の送水パイプの先端部に側部に洗浄水の噴出口を有するノズル体を装着し、一方内視鏡本体に水密に螺合される先端部材と後端部材で構成される保護キャップを被せ、該保護キャップの後端部を上記ノズル体の先端部に螺合させ、該螺着結合端部に水密リングを装着し、更に上記内視鏡本体に接続されたリード線は上記送水パイプ内を通して外部のモニターに接続するようにした配管洗浄装置。
【実施例１】
【００１３】
以下、この発明を図示の実施例に基づいて詳細に説明すると、１はその側面に噴射口２，…を有するノズル体、３は内視鏡本体であり、ノズル体１は洗浄水の送水パイプ４の先端部に装着され、内視鏡本体３の基端部に接続されたリード線５は送水パイプ４内を通して外部に設けられたモニター６に接続される。
【００１４】
７は内視鏡本体３に被せられる保護キャップであり、ノズル体１の先端部と保護キャップ７の後端部は螺子溝8a,8bにより形成された螺合部８により結合され、更に螺合部８の先端部に水密リング９を螺着する。
【００１５】
一方、保護キャップ７は、この実施例では螺子溝10a,10bにより形成される螺合部10により結合される先端部材7aと後端部材7bにより構成され、内視鏡本体３はその先端部を先端部材7a内に送入し、その基端部には水密部材11,11を宛い、先端部材7aの外周に形成された螺子溝10aを後端部材7bの内周に形成された螺子溝10bを螺入すると、水密部材11,11は先端部材7aに圧縮装着されて螺合部10の先端部は水密に保持され、また螺合部10の後端部には水密リング12が螺着される。
【００１６】
なお、この実施例では先端部材7aの外周にはランプ13が設けられ、ランプ13は電源線14に接続され、内視鏡本体３による配管内の観察に際しては前方を照射するようにしている。
【００１７】
以上の構成において、ビル等の配管洗浄に際してはノズル体１を配管内に送入して配管内の状態をモニター５で観察しながらノズル体１の側面に形成された噴出口２，…より洗浄水を噴出させて配管内部の洗浄を行うものである。
【００１８】
したがって、この発明では内視鏡本体３による配管内の観察とノズル体１による配管内の洗浄が連続的の行われるため、配管の洗浄作業が短時間に行うことができる。
【００１９】
しかも内視鏡本体３がノズル体１の先端部に装着されているため、モニター５により観察された箇所にノズル体１より洗浄水を噴出させることができ、したがって洗浄水の無駄がなく、適切な洗浄を行うことができる。
【産業上の利用可能性】
【００２０】
以上要するに、この発明によれば長年の使用により内壁に付着物が生じたビルの配管等の洗浄作業が短時間に、しかも洗浄水の無駄なく、適切に行うことができる。
【図面の簡単な説明】
【００２１】
【図１】この発明の一実施例を示す分解斜視図
【図２】同上の組み立て状態を示す側面図
【図３】同上のＡ−Ａ線縦断面図
【図４】同上の使用状態を示す図
【符号の説明】
【００２２】
１はノズル体
２，…は噴射口
３は内視鏡本体
４は送水パイプ
５はリード線
６はモニター
７は保護キャップ
7a,7bは先端部材、後端部材
８は螺合部
8a,8bは螺子溝
９は水密リング
10は螺合部
10a,10bは螺子溝
11,11は水密部材
12は水密リング
13はランプ
14は電源線
【図１】
2005349274.tif 000003
【図２】
2005349274.tif 000004
【図３】
2005349274.tif 000005
【図４】
2005349274.tif 000006